(57)【要約】デジタル権利管理（ＤＲＭ）を利用するＣＤシステムにおける、リプレイ攻撃から権利データの完全性を保護しながら再生装置（４００）を用いてソースディスク（２００）から送信先のディスク（３００）に権利データおよび予め暗号化されたコンテンツを転送するためのシステムおよび方法。そのシステムおよび方法はまた、記憶メディアおよびデータ転送装置を用いる情報の転送を有する他のアプリエーションに適用可能である。トランザクション識別子は、再生装置に記憶されたトランザクション識別子のリストから割り当てられる。割り当てられたトランザクション識別子と送信先のディスクから読み出される権利データとは、再生装置（４００）に一意の対称キーまたは公開／秘密キーを用いて暗号化される。暗号化されたトランザクション識別子は、ハードディスクドライブ、別個のセキュリティモジュールまたは再生装置（４００）内のメモリ領域とすることが可能である中間セキュア記憶領域（５００）に暗号化された権利データと共に転送される。送信先のディスク（３００）へのコンテンツおよび権利データの転送は、復号化の後に暗号化トランザクション識別子が再生装置（４００）において記憶されたトランザクション識別子のリストに見つけられることができる場合のみに、承認される。転送が承認される場合、権利データはコンテンツと共に暗号化フォーマットの状態で送信先のディスク（３００）に転送され、トランザクション識別子は更なるリプレイ攻撃を防止するために再生装置（４００）においてリストから削除される。
2005505885.tif 000002
【特許請求の範囲】
【請求項１】
中間メディアにおよび中間メディアから情報を安全に転送する方法であって：
ソースメディアから前記情報を読み出し、再生装置のメモリ領域からトランザクション識別子を検索し、前記検索されたトランザクション識別子に前記情報を安全に結合させ、そして前記中間メディアに前記トランザクション識別子と共に前記情報を転送する段階；
前記安全に結合された情報と前記中間メディアからの前記トランザクション識別子とを読み出し、前記情報と前記トランザクション識別子とを分離し、メモリ領域に記憶されたトランザクション識別子の集合と前記トランザクション識別子を比較する段階；並びに
前記復号化されたトランザクション識別子の値が前記再生装置において記憶された前記トランザクション識別子の集合において見つけられる場合、前記再生装置において記憶された前記トランザクション識別子の集合から前記トランザクション識別子を削除する段階；
を有することを特徴とする方法。
【請求項２】
請求項１に記載の方法であって、前記情報と前記トランザクション識別子との安全な結合はキーハッシングおよび／または暗号化を用いて実行される、ことを特徴とする方法。
【請求項３】
請求項１に記載の方法であって：
前記ソースメディアから読み出される前記情報を復号化する段階；
前記検索されるトランザクション識別子を検索した後、前記検索されたトランザクション識別子と共に前記情報を再暗号化する段階；並びに
前記復号化されたトランザクション識別子の値が前記再生装置に記憶された前記トランザクション識別子の集合において見つけられる場合、送信先のメディアにおいて前記情報を記憶する段階；
をさらに有する、ことを特徴とする方法。
【請求項４】
請求項３に記載の方法であって、送信先のメディアにおいて前記情報を記憶する段階は、二度目の前記情報の再暗号化する手順をさらに有する、ことを特徴とする方法。
【請求項５】
請求項３に記載の方法であって、前記情報を再暗号化する手順は、再生装置に一意である秘密キーに対応する公開キーである暗号化キーを使用することをさらに有する、ことを特徴とする方法。
【請求項６】
請求項３に記載の方法であって、前記情報を再暗号化する手順は、対照キーである暗号化キーを使用することをさらに有する、ことを特徴とする方法。
【請求項７】
請求項５に記載の方法であって、前記情報を暗号化することは、トランザクション識別子の値に基づいて付加的な暗号化キーを用いることを有する、ことを特徴とする方法。
【請求項８】
請求項１に記載の方法であって、前記転送されたトランザクション識別子が前記再生装置に記憶された前記トランザクション識別子の集合において見つけられる場合、前記中間メディアから前記情報と前記トランザクション識別子とを削除する段階をさらに有する、ことを特徴とする方法。
【請求項９】
請求項３に記載の方法であって、前記転送されたトランザクション識別子が前記再生装置に記憶された前記トランザクション識別子の集合において見つけられる場合、前記送信先のメディアにおいて前記転送されるトランザクション識別子を記憶する段階をさらに有する、ことを特徴とする方法。
【請求項１０】
請求項１に記載の方法であって、前記ソースメディアから前記情報を読み出す段階は、コンテンツマテリアルと前記コンテンツマテリアルへのアクセスを制限する関連権利データとを読み出す段階をさらに有する、ことを特徴とする方法。
【請求項１１】
請求項１に記載の方法であって、一意のトランザクション識別子を生成し且つ前記トランザクション識別子の集合に前記生成されたトランザクション識別子を付加する段階をさらに有する、ことを特徴とする方法。
【請求項１２】
請求項１に記載の方法であって、前記トランザクション識別子は前記再生装置への参照を有する、ことを特徴とする方法。
【請求項１３】
中間メディアにおよび中間メディアから情報を安全に転送するための装置であって：
メモリ領域をさらに有する中間メディア；
トランザクション識別子を生成するために構成されるトランザクション識別子生成器；並びに
前記情報を復号化し、前記情報を再暗号化し、暗号化されたトランザクションインジケータと共に前記中間メディアに前記再暗号化された情報を転送し、前記情報を復号化し、そして前記トランザクションが承認される場合に前記トランザクションインジケータを削除するために構成される再生装置であって、
少なくとも１つのトランザクション識別子の集合を記憶するために構成されるトランザクションメモリと、
前記中間メディアに情報を転送するに先立ち前記情報を暗号化するために構成される暗号化器と、
前記暗号化情報を復号化するために構成された復号化器と、
前記中間メディアにおいて記憶された前記トランザクション識別子の復号化値が前記トランザクションメモリにおいて記憶された前記トランザクション識別子の集合において見つけられるときに前記トランザクションを承認するために、および前記中間メディアにおいて記憶された前記トランザクション識別子の復号化値が前記トランザクションメモリにおいて記憶された前記トランザクション識別子の集合において見つけられないときに前記情報の転送を拒否するために、構成される復号化器と、
を有する再生装置；
を有することを特徴とする装置。
【請求項１４】
請求項１３に記載の装置であって、再生装置は；
ソースメディアから情報を読み出すこと；並びに
送信先のメディアに情報を転送することにより前記情報の承認転送を実行すること；
からさらに構成される、ことを特徴とする装置。
【請求項１５】
請求項１３に記載の装置であって、前記再生装置は、送信先のメディアに前記情報の承認転送を実行する前に、二度目の前記情報の暗号化をすることからさらに構成される、ことを特徴とする装置。
【発明の詳細な説明】
【技術分野】
【０００１】
本発明は、電子セキュリティの分野に関し、さらに具体的には、１つの装置から他の装置に情報を転送するセキュアシステムに関する。
【背景技術】
【０００２】
デジタルメディアはデジタル方式でデータを記憶し、種々のＣＤおよびＤＶＤ光ディスク技術すべてを含む。デジタルメディアに記憶されたデータは、映像データ、テキストデータ、オーディオデータ、コンピュータデータまたはデジタル情報のいずれかの他のフォームを有することが可能である。デジタルメディアは、高品質のコピーが認められないものとしてなされ且つ配布される著作権のある情報をしばしば記憶している。ＤＲＭ（Ｄｉｇｉｔａｌ  Ｒｉｇｈｔｓ  Ｍａｎａｇｅｍｅｎｔ：デジタル権利管理）システムは、デジタル情報の著作権者によっておよび／またはデジタル情報の著作権者に、支払われる著作権料の計算を容易にするため且つデジタル情報の配布の間のそのような著作権を保護するために実行されてきた。例として、ＤＲＭシステムは、コンテナ（すなわち、デジタルコンテンツを安全に含み且つ転送するデータ部）、デジタルコンテンツを使用（例えば、再生またはコピー）するためにソフトウェア装置およびハードウェア装置が従う必要のある使用規則の集合、および使用規則を強化する暗号化キーを提供する。使用規則および暗号化キーは、以下において“権利データ”と呼ぶ。
【０００３】
１つのドライブシステムを使用して、１つのディスクから他のディスクにコンテンツおよび権利データをコピーするために、先ず、ＤＲＭシステムはソースディスクぁらコンテンツおよび権利データを検索し、ハードディスクドライブ（ＨＤＤ）においてコンテンツおよび権利データを記憶し、送信先のディスクにコンテンツおよび権利データを転送し（ユーザはソースディスクを送信先のディスクに置き換える）、最終的にＨＤＤから権利データを削除する。これに関連して、“リプレイ攻撃”の例は、ハッカーがＨＤＤに記憶された権利おコピーを行い、次いで、ＤＲＭシステムを騙して第３ディスクにその権利を置き換えさせることを試みる。このようにして、ハッカーは偽造のオリジナルのコピーを得ることができる。デジタルコンテンツは暗号化されているため、中間的記憶としてハードディスクドライブを簡単に使用することによりソースメディアから配布メディアにコピーすることができる。それ故、リプレイ攻撃を防ぐための問題は、（デジタルコンテンツが復号化およびアクセスされることができる暗号化キーを有する）権利データをどのように安全にコピーするかである。
【０００４】
ソース装置およびメディアから配布装置およびメディアに権利データを安全に転送するために、セキュア認証チャネル（ＳＡＣ）を規定することが知られている。この方法に従って、転送権利およびコピーコンテンツはリアルタイムの相互作用を有する必要があるメディアおよび２つの装置を必要とする。しかしながら、一般の顧客は１つのＣＤ−ＤＲＭのみを有している。さらに、権利の転送は安全な方法で実行される必要がある。
【０００５】
関連する権利を保ちながらデジタルコンテンツを転送するための他のスキームは、ソースから目的ディスクに暗号化コンテンツのみをコピーする段階を有する。次いで、そのコンテンツを用いるための権利は、保護されたチャネル（代表的には、ＳＡＣ）によりサーバまたはウェブサイトから購入され、または得られる。そのような方法は、サーバ接続の完全性に依存しなければならない。
【０００６】
本発明の出願と同じ指定代理人であるＰＣＴ特許出願公開第ＷＯ００６２２９０号（代理人整理番号ＰＨＡ２３６３７）明細書は、記録メディアの読み出し専用メモリ素子に記憶された動的記録インジケータがコンテンツ暗号化キーを暗号化するために使用されるリプライ攻撃を回避するために１つのドライブのシステムを開示している。コンテンツ暗号化キーは、対象とする再生装置の秘密キーに対応する公開キーを用いて、さらに暗号化される。それ故、コンテンツ暗号化キーの復号化は、記録インジケータの値と装置の秘密キーとを必要とする。
【０００７】
記録メディアは新しく且つたぶんランダムな記録インジケータを生成し、各々の時間データは記録メディアに記録され、その後の認められない記録（リプレイ攻撃）は同じ暗号化キーを提供せず、再生装置はコンテンツ暗号化キーであって、それ故コンテンツそのものを復号化することができないため、リプレイ攻撃は無効化する。しかしながら、この方法は、初期の記録インジケータが、保護スキームを強化する再生装置であるため、記録メディアから再生装置に（デジタル署名を用いることにより可能）信頼性高く且つ安全に通信されることを必要である。さらに、この方法は、無許可の改竄に敏感とすることができる記録メディアのメモリ領域における記録インジケータに記憶する。
【０００８】
ＤＲＭまたは類似する制限されて使用されるスキームにおいてリプレイ攻撃を防ぎながら、１つの再生／記録装置を用いてメディアからメディアにデジタルコンテンツと権利データを安全に転送する、改善されたシステムおよび方法に対する必要性がある。
【発明の開示】
【課題を解決するための手段】
【０００９】
本発明は、請求項１に記載している１つのみのＣＤ−ＤＲＭドライブおよび中間記憶メディアを使用する送信先ディスクにソースディスクから権利データとデジタルコンテンツとを転送する安全な方法を提供することにより、上記の要求を実現する。暗号化トランザクションインジケータは、権利データが中間記憶メディアに記憶される一方、権利データのセキュリティを確実にするように、中間記憶メディアに権利データを付ける。
【００１０】
さらに具体的には、本発明の例としての方法に従って、少なくとも１つのトランザクションインジケータは（記録能力を併せて有する）再生装置のメモリ領域において生成され、記憶される。再生装置は１つのトランザクションインジケータを割り当て、次いで、ソースメディアからデジタルコンテンツと使用許可データを読み出し、再生装置において記憶される秘密キーに対応する公開キーまたは例えば対称暗号化を組み込むための暗号化キーを用いて権利データと割り当てられたトランザクションインジケータを共に再暗号化する。
【００１１】
再生装置により実行された暗号化はまた、例えば、トランザクションキーを対称キーまたは公開キーと組み合わせることにより、割り当てられたトランザクション識別子に対応するトランザクションキーを組み込むことができる。さらに、権利データとトランザクションインジケータを共に暗号化することに加えて、（例えば、デジタル署名またはハッシングスキームのような）完全性機構は改竄の検出を可能にするために実行されることができる。再生装置は、対応する暗号化トランザクション識別子と共にハードディスクドライブのローカルメモリにソースメディアからデジタルコンテンツと再暗号化権利データとを転送する。送信先のメディアに転送される情報を転送する前に、再生装置は、リプレイ攻撃が進行中であるかどうかを決定するために、トランザクション識別子といずれかの完全性機構とをチェックする。完全性機構が実行される場合、被転送情報は改竄に対してチェックされる。
【００１２】
リプレイチェックは、継続し、そのトランザクション識別子はハードディスクドライブに転送される暗号化トランザクション識別子と権利データとを符号化することにより、およびそのトランザクション識別子を再生装置のセキュアローカルメモリにおけるトランザクション識別子と比較することにより継続される。代表的な再暗号化権利データは、その転送されるトランザクション識別子が再生装置においてトランザクション識別子と適合する場合のみに、送信先のディスクに書き込まれる。
【００１３】
本発明の方法の優位性は、各々の一意のトランザクション識別子が、耐改竄性の大きい再生ドライブにおいて非暗号化フォームの状態で記憶されるが、トランザクション識別子が中間メディアに存在するとき、完全性機構を伴い、暗号化される。従って、本発明は、セキュリティが再生装置により実行され且つ強化されるため、セキュア中間メディアの必要性を除去する。
【００１４】
手短に言えば、本発明は、１つの再生装置を用いてデータ（特に、ＤＲＭにより保護される使用権利）を安全に転送するためのシステムおよび方法を有する。連続的な数またはランダムな数を有する少なくとも１つの送信識別子は再生装置内のメモリ領域に記憶される。本発明の一つの特徴において、トランザクション識別子は一意のドライブ識別子への参照を有することが可能である。ソースディスクにおいて記憶されるコンテンツに関連する使用権利は復号化され、次いで、特定の再生装置に関連していて且つその再生装置のみに知られている暗号化キーを使用して割り当てられたトランザクション識別子と共に再暗号化され、これにより、権利データはその特定の再生装置にのみ再生されることができることを確実にする。使用権利とトランザクション識別子の暗号化は、トランザクション識別子に基づくトランザクションキーを有することができる。ハードディスドライブ（ＨＤＤ）のような中間メディアのメモリにソースディスクからのデジタルコンテンツと共に再暗号化使用権利を転送するとき、再生装置は、暗号化トランザクション識別子を有する。ＨＤＤから送信先のメディアに（暗号化されることが可能である）コンテンツと暗号化された使用権利とを転送する前に、再生装置は、再生装置に記憶されるトランザクション識別子のリストに対してＨＤＤにおいて記憶されたトランザクション識別子を比較する。ＨＤＤに記憶されたトランザクション識別子はトランザクション識別子のリストにおけるトランザクション識別子に適合する場合、再生装置により実行される暗号化は無効にされ、使用権利は送信先のメディアに書き込まれることができる。さらに、ソースメディアからの情報が送信先のメディアに一度に送信された後、再生装置のメモリからトランザクション識別子を検出することにより、権利データが再生装置に一度だけ再生されることができるように、本発明の方法は実行されることができる。換言すれば、中間メディアにおける連続的な／ランダムな数がその再生装置に記憶されるトランザクション数に対応するときにのみ、中間メディアにおける権利データは再生装置により受け入れられる。権利データが受け入れられ且つ連続的に処理された後、再生装置におけるトランザクション識別子は、権利が再生されることを防ぐために消去される。
【００１５】
再生装置に記憶されることができるトランザクション識別子の最大量は再生装置のメーカにより許可されるメモリ資源に依存し、このことはメーカの後に再構成されることが可能である。トランザクション識別子は、トランザクションメモリに記憶されるに先立ち、再生装置の内部または外部に生成されることが可能である。各々のトランザクション識別子は、例えば、連続的な数、ランダムに生成される数、または権利データのハッシュ符号を有する一意の値である。トランザクション識別子は、劣化したとき、要求されたとき、または定期的に、（少なくとも１つの新しいトランザクション識別子を生成し且つ記憶することにより）補充されることが可能であるが、各々のトランザクション識別子は一意である必要がある。
【００１６】
本発明の他の実施形態は、例えば、再生装置の内部のメモリに使用権利を記憶することにより、中間メディアとして再生装置を利用する。送信先のメディアに書き込まれたとき、権利データは再生装置のメモリから転送され、コンテンツは中間メディアから転送され、次いで、それらはドライブメモリから検出される。この実施形態は、上記実施形態と同じトランザクション確認技術を利用する。本発明の方法はまた、権利データとトランザクション識別とのための外部の記憶位置として限定的な記憶部分をもつ分離された記憶装置を使用することが可能である。
【００１７】
本発明の更なる目的、優位性および新規な特徴については、以下の詳細な説明においてある程度説明するので、以下の実施形態に関して当業者はさらに理解を深めることとなるであろうし、また、本発明の手順について理解することができるであろう。
【発明を実施するための最良の形態】
【００１８】
必要に応じて、本発明の詳細な実施形態について開示するが、開示する実施形態は、単に本発明の例であって、種々のおよび他の方式で具現化されることが可能である。図面は必ずしもスケールが同じではなく、一部の図においては、特定の構成要素の詳細を示すために拡大または縮小するものである。従って、以下に説明する特定の構造的および機能的詳細は限定的なものと解釈されるべきではなく、請求の範囲を基礎として解釈されるべきであって、本発明を種々用いるために当業者に教示するための代表的な基礎として解釈されなければならない。
【００１９】
同様の符号は同様の構成要素を示す同時提出の図面において示す、本発明の例としての実施形態をここで詳細に参照するに、図１は、リプレイ攻撃を防止するような方法において送信先のメディア３００に保護されたデジタルコンテンツを転送する暗号化システム１００の例としての実施形態の機能要素を示すブロック図である。暗号化システム１００は、ソースメディア２００、送信先のメディア３００および再生装置４００を有する。ソースメディア２００は、暗号化デジタルコンテンツ１１０と、再生装置４００による再生のために送信先のメディア３００に書き込まれる、関連する使用権利データ１２０（使用ルールおよび暗号化キー）とを有する。送信先のメディア３００の形態および構造に依存して、種々の従来の書き込み技術のいずれを用いることができる。簡単化のために、送信先のメディア３００に書き込みため且つソースメディアから読み出すために利用する構成要素については図１に示していない。
【００２０】
本発明に従って、再生装置４００は、ドライブ番号ＤＩのような一意のドライブ識別子により識別され、少なくとも１つの一地のトランザクション識別子ＴＩのリストを有するトランザクションメモリ領域４１０を有する。トランザクションメモリ領域４１０は、再生装置４００が作製されるとき、構成される。トランザクション識別子ＴＩは、いずれかの数の技術および機構を使用してトランザクション識別子生成器４０５により生成され、再生装置４００が製造された後にトランザクションメモリ領域４１０に少なくとも一回記憶される。本発明の実施形態に従って、各々のトランザクション識別子ＴＩは、ユーザが権利データ１２０の許されたコピーを作成することを所望するときのように、必要に応じて、トランザクション識別子生成器４０５により生成される。その代わりに、トランザクション識別子ＴＩは、再生装置４００が製造されるときに、トランザクションメモリ領域４１０において記憶される。各々のトランザクション識別子ＴＩは、トランザクション識別子が出たドライブ識別子ＤＩへの参照を有する。
【００２１】
本発明の例としての実施形態の方法は、データ転送コマンドが受信されたとき、再生装置４００がソースメディア２００からコンテンツ１１０および権利データ１２０を読み出し、それらのどちらかまたは両方が代表的には予め暗号化されるように、操作される。復号器４５０は権利データ１２０およびその代わりにコンテンツ１１０を復号化する。トランザクションインジケータＴＩはトランザクションメモリ領域４１０に記憶されたトランザクション識別子のリストから由来する。暗号器４３０は、このとき、再生装置に一意の暗号キーＥＫであって、例えば、製造時に再生装置において記憶された公開キー／秘密キーの対または非対称キーを適用することにより、権利データ１２０とトランザクション識別子ＴＩを共に暗号化する。
【００２２】
また、暗号化器４３０により提供される権利データ１２０とトランザクション識別子ＴＩとの暗号化は、キー生成器４２０により生成され且つトランザクションインジケータＴＩから導き出されるトランザクションキーＴＫをさらに有する。コンテンツ１１０に関する非権利はまた、暗号化器４３０により同様に暗号化されることが可能である。また、予め暗号化されたコンテンツに関する非権利は、さらなる暗号化を伴わないで直接コピーされることが可能である。ソースメディア２００から送信先のメディア３００への情報の転送は１つのみの再生装置４００を用いて達成することができる故に、暗号化コンテンツ１１０および権利データ１２０は、暗号化トランザクションインジケータＴＩと共に中間メディア５００のローカルメモリ５１０に転送される。中間メディア５００は、例えば、パーソナルコンピュータへのハードディスクドライブ（ＨＤＤ）ペリフェラル、外付け記憶モジュールおよび／または専用記憶モジュール、あるいは再生装置自身におけるメモリ領域等の記憶装置である。代表的な再生装置４００はソースメディア２００の全体的なコンテンツを“キャッシュ”するためのメモリが十分ではないため、中間メディア５００の役割は、転送されるべき情報の少なくとも一時的記憶を提供することである。本発明の例としての実施形態に従って、転送される情報は、コンテンツ１１０、暗号化権利データ１２０および暗号化転送識別子ＴＩを有する。
【００２３】
他の実施形態において、非権利コンテンツ１１０は、暗号化権利データ１２０および暗号化トランザクションインジケータＴＩが再生装置４００のメモリ領域に転送される間に、中間メディアに転送される。権利データ１２０とトランザクション識別子ＴＩとの暗号化状態および完全性機構の実行は、データが中間メディア５００に記憶される間に、データの秘密性と改竄検出を提供する。
【００２４】
リプレイ防御は、ソースメディア２００が再生装置４００から開放され且つ送信先のメディア３００と置き換えられるとき、主に実行される。プロセスのこの段階において、再生装置４００は、暗号化段階に情報が予め転送された中間メディア５００により送信先のメディア３００にコンテンツ１１０と権利データ１２０とを転送する要求を処理することを継続する。転送要求の正当性を確認するために、再生装置４００の承認器４４０は、情報が中間メディア５００において記憶された簡易生じた如何なる改竄をも検出するために完全性機構をチェックする。
【００２５】
復号化器４５０は、暗号化器４３０により暗号化され且つ中間メディア５００に転送されたトランザクション識別子ＴＩ（および権利データ１２０、両者は共に暗号化される）を復号化する。復号化器４５０は、暗号化キーＥＫおよびトランザクションキーＴＫ（塩ゆする場合）を用いて適用される暗号化を無効にすることにより情報を復号化する。再生装置４００の承認器４４０は、このとき、ここで中間メディア５００のメモリ５１０からよみ出された復号化トランザクションインジケータＴＩを、再生装置４００のトランザクションメモリ領域４１０において記憶されるトランザクションインジケータのリストと比較する。復号化され転送されたトランザクションインジケータＴＩの値がトランザクションメモリ領域４１０において見つけられない場合、要求は認められないものであり、リプレイ攻撃は進行中である。復号化され転送されたトランザクションインジケータＴＩの値がトランザクションメモリ領域４１０において見つけられる場合、転送は有効であり、中間メディア５００から送信先のメディアへの転送は進行する。
【００２６】
有効な要求を完了させるために、再生装置４００内の暗号化器３０は権利データ１２０とトランザクション識別子１１０とを再暗号化する。コンテンツ１１０と再暗号化された権利データ１２０は送信先のメディア３００に書き出され、それ故、情報転送を完了する。他の実施形態においては、権利データおよびトランザクション識別子ＴＩを再暗号化することは必要ない。本発明の特徴に従って、トランザクション識別子ＴＩは、再暗号化された後もまた、送信先のメディアに転送されることが可能である。
【００２７】
一旦、承認器４４０が転送要求を承認または拒否すると、トランザクション識別子ＴＩは、将来のリプレイ攻撃を防止するためにトランザクションメモリ４１０において記憶されたトランザクションインジケータのリストから削除される。さらに、コンテンツ１１０、暗号化権利データ１２０および転送トランザクション識別子ＴＩは、承認器４４０が転送要求を拒否したとき、中間メディア５００から削除される。転送要求が承認器４４０により承認された場合、コンテンツ１１０、（転送後、一部の権利が使用された場合、変化することが可能である）権利データ１２０およびトランザクション識別子ＴＩは、使用規則によって許可される付加的な承認転送を容易にするために、中間メディア５００に留まる。
【００２８】
上記説明に照らして、本発明は、１つのみの再生および記録装置を用いて、メディア間においてデジタルコンテンツおよび関連権利データを安全に転送するためのシステムおよび方法を提供する。また、上記説明は本発明の例としての実施形態にのみ関係することと、同時提出の請求の範囲により規定される本発明の範囲および主旨から逸脱することなく多くの変更がなされることが可能であることとを理解される必要がある。
【図面の簡単な説明】
【００２９】
【図１】本発明の例としての実施形態の要素の機能的相互関係を示すブロック図である。
【図１】
2005505885.tif 000003
【国際公開パンフレット】
2005505885.tif 000004
2005505885.tif 000005
2005505885.tif 000006
2005505885.tif 000007
2005505885.tif 000008
2005505885.tif 000009
2005505885.tif 000010
2005505885.tif 000011
2005505885.tif 000012
2005505885.tif 000013
2005505885.tif 000014
2005505885.tif 000015
2005505885.tif 000016
【国際公開パンフレット（コレクトバージョン）】
2005505885.tif 000017
【国際調査報告】
2005505885.tif 000018
2005505885.tif 000019